(57)【要約】【課題】好ましい色の画像を生成するための情報を確実に後工程に伝えることができるデータ生成装置、評価出力装置、評価出力システム、データ生成プログラム、および評価出力プログラムを提供することを目的とする。【解決手段】画像を表わす画像データを取得する画像取得部と、画像データが表わす画像の色に関する評価の入力を受け付ける評価受付部と、画像データと評価受付部で受け付けられた評価を表わす評価データとを対応付けて評価画像データセットを生成するデータセット生成部とを備える。例えば、編集工程で評価画像データセットを生成し、印刷工程では、評価画像データセットの評価データが表わす評価を確認することによって、画像の色に関する評価を確実に印刷に反映させることができる。【選択図】        図１１
2005328342.tif 000002
【特許請求の範囲】
【請求項１】
画像を表わす画像データを取得する画像取得部と、
前記画像取得部で取得された画像データが表わす画像の色に関する評価の入力を受け付ける評価受付部と、
前記画像取得部で取得された画像データと、前記評価受付部で受け付けられた評価を表わす評価データとを対応付けて評価画像データセットを生成するデータセット生成部とを備えたことを特徴とするデータ生成装置。
【請求項２】
前記データセット生成部で生成された評価画像データセットを記録媒体に記録する画像記録部を備えたことを特徴とする請求項１記載のデータ生成装置。
【請求項３】
前記データセット生成部が、前記画像データに前記評価データを組み込んで、前記評価画像データセットに相当する評価組み込みデータを生成するものであることを特徴とする請求項１記載のデータ生成装置。
【請求項４】
画像が配置されたページを表わすページデータを、前記データ生成部で生成された評価画像データセットを組み込んで生成するページデータ生成部を備えたことを特徴とする請求項１記載のデータ生成装置。
【請求項５】
画像を表わす画像データと、該画像データが表わす画像の色に関する評価を表わす評価データとが対応付けられた評価画像データセットを取得するデータセット取得部と、
前記データセット取得部で取得された評価画像データセットの評価データが表わす評価を所定の出力装置に出力させる評価出力部とを備えたことを特徴とする評価出力装置。
【請求項６】
画像データに基づく画像を表示する画像表示部を備え、
前記評価出力部は、前記所定の出力装置として前記画像表示部を使って、前記評価を表示させるものであることを特徴とする請求項５記載の評価出力装置。
【請求項７】
前記評価出力部は、用紙上に画像および文字をプリント出力するプリンタを前記所定の出力装置として使って、前記評価をプリント出力させるものであることを特徴とする請求項５記載の評価出力装置。
【請求項８】
画像を表わす画像データを取得する画像取得部と、
前記画像取得部で取得された画像データが表わす画像の色に関する評価の入力を受け付ける評価受付部と、
前記画像取得部で取得された画像データと、前記評価受付部で受け付けられた評価を表わす評価データとを対応付けて評価画像データセットを生成するデータセット生成部と、
前記評価画像データセットを取得するデータセット取得部と、
前記データセット取得部で取得された評価画像データセットの評価データが表わす評価を所定の出力装置に出力させる評価出力部とを備えたことを特徴とする評価出力システム。
【請求項９】
コンピュータ内で実行され、該コンピュータ上に、
画像を表わす画像データを取得する画像取得部と、
前記画像取得部で取得された画像データが表わす画像の色に関する評価の入力を受け付ける評価受付部と、
前記画像取得部で取得された画像データと、前記評価受付部で受け付けられた評価を表わす評価データとを対応付けて評価画像データセットを生成するデータセット生成部とを構成すること特徴とするデータ生成プログラム。
【請求項１０】
コンピュータ内で実行され、該コンピュータ上に、
画像を表わす画像データと、該画像データが表わす画像の色に関する評価を表わす評価データとが対応付けられた評価画像データセットを取得するデータセット取得部と、
前記データセット取得部で取得された評価画像データセットの評価データが表わす評価を所定の出力装置に出力させる評価出力部とを構成すること特徴とする評価出力プログラム。
【発明の詳細な説明】
【技術分野】
【０００１】
本発明は、データを生成するデータ生成装置、データ生成プログラム、画像の色の評価を出力する評価出力装置、評価出力プログラム、および評価出力システムに関する。
【背景技術】
【０００２】
従来、印刷の分野において、被写体を撮影した撮影画像を取得する撮影工程と、撮影画像を使って印刷物のイメージを編集する編集工程と、編集した画像を印刷する印刷工程とを経て印刷物を生成することが広範に行われている。近年、撮影工程においてデジタルカメラが広く用いられてきており、撮影工程で得られる撮影画像のデジタル化に伴って、後段の編集工程や印刷工程での処理も変化してきている。
【０００３】
図１は、撮影工程において、フィルムに撮影画像を記録する銀塩カメラが適用される場合の一連の印刷処理を示すワークフロー図である。
【０００４】
撮影工程では、銀塩カメラで被写体が撮影され、撮影画像がフィルム１１に記録される。フィルム１１は、撮影工程から編集工程に送られる。
【０００５】
編集工程では、まず、フィルム１１に記録された撮影画像がスキャナなどで一旦粗く読み取られ、この例では、Ｒ（レッド），Ｇ（グリーン），Ｂ（ブルー）に色分解された低解像度データが生成される（ステップＳ１１１）。
【０００６】
編集工程のオペレータである編集者は、パーソナルコンピュータ等を使って、ステップＳ１１１で得られたＲＧＢ形式の低解像度データが表わす低解像度画像が含まれた印刷物のイメージを編集する（ステップＳ１１２）。尚、編集者がページを編集する際に使用するデータ形式は、ＰＳ（ＰｏｓｔＳｃｒｉｐｔ：登録商標）やＰＤＦ（Ｐｏｒｔａｂｌｅ  Ｄｏｃｕｍｅｎｔ  Ｆｏｒｍａｔ）などといったページ記述言語でページを記述するものが一般的であるため、以下では、編集後の印刷物のイメージ（ページ）を表わす画像データをページデータと称する。このステップＳ１１２のページ編集工程では、ページデータに含まれるＲＧＢ形式のページ画像１２がプリンタ等でプリント出力され、このＲＧＢページ画像１２を使ってページのデザインなどが確認される。デザインの確認が終了したページデータは、フィルム１１といっしょに印刷工程に送られる。
【０００７】
印刷工程では、まず、フィルム１１に記録された撮影画像がスキャナ等で高解像度に読み取られると同時に、印刷機はＣ（シアン），Ｍ（マゼンタ），Ｙ（イエロー），Ｋ（黒）を重ね合わせて全ての色を表現するため、読み取られた画像データが印刷機に適合したＣＭＹＫ形式の高解像度データに色変換される（ステップＳ１１３）。このとき、印刷工程のオペレータである印刷者によって、ＣＭＹＫ形式の高解像度データが表わすＣＭＹＫ画像１３の色がフィルム１１を見て受ける撮影画像の色の印象となるべく近くなるように、トーンカーブやシャープネスなどに関する各種パラメータが微調整され、それら各種パラメータを使って、色変換処理が行われる。
【０００８】
生成されたＣＭＹＫ形式の高解像度データは、編集工程から送られてきたページデータ中のＲＧＢ形式の低解像度データと差し替えられ、高解像度なＣＭＹＫ形式のページデータが生成される（ステップＳ１１４）。このステップＳ１１４でも、ＣＭＹＫ形式のページデータが表わすＣＭＹＫページ画像１４がプリント出力され、印刷者によって、ＣＭＹＫページ画像１４を使って最終的なページのデザインや色が確認される。
【０００９】
最終確認がなされたＣＭＹＫページデータは印刷機に送られ、印刷機によって印刷画像１５が印刷される（ステップＳ１１５）。
【００１０】
撮影画像がフィルムに記録される場合には、以上のようにして印刷画像１５が生成される。この図１に示す一連の印刷処理は従来から広く行われているため、例えばステップＳ１１３における各種パラメータの調整などといった熟練した技術を要する過程においても、蓄積されたノウハウを利用することができる。しかし、図１のワークフローによると、撮影工程、編集工程、および印刷工程の全てにおいて、撮影画像が記録されたフィルム１１が必要となり、各工程が行われている場所が離れている場合、フィルム１１の受け渡しに多大な時間を要してしまったり、フィルム１１を紛失してしまうと、印刷物を生成することができなくなってしまうなどという問題がある。
【００１１】
続いて、撮影画像がデジタル化されたときの、一連の印刷処理について説明する。
【００１２】
図２は、撮影工程でデジタルカメラが適用される場合の、一連の印刷処理を示すワークフロー図である。
【００１３】
撮影工程において、デジタルカメラで被写体が撮影されて得られた撮影画像データは、小型記録媒体等に記録されて編集工程に送られる。
【００１４】
編集工程では、編集者によって、撮影画像データが表わすＲＧＢ画像２１が見た目に好ましい色になるように、色補正に関する各種パラメータ（例えば、上述したトーンカーブなど）が微調整され、撮影画像データに色補正処理が施される（ステップＳ１２１）。色補正後の撮影画像データは、次回以降に再利用するためにＤＢ２０に保存される。
【００１５】
続いて、編集者によって、色補正後の撮影画像データを使ってページが編集される（ステップＳ１２２）。このステップＳ１２２においても、生成されたページデータが表わすＲＧＢページ画像２２がプリント出力され、編集者によって、ページのデザインや色が確認される。
【００１６】
色およびデザイン確認後のページデータは、印刷工程に送られる。
【００１７】
印刷工程では、まず、編集工程から送られてきたページデータ中の色補正後の撮影画像データが表わすＲＧＢ画像２３がプリント出力される。また、印刷者によって、図１のステップＳ１１３と同様にして、色変換に関する各種パラメータが微調整され、ＲＧＢ形式の撮影画像データがＣＭＹＫ形式の撮影画像データに変換される（ステップＳ１２３）。このとき、印刷者は、ＣＭＹＫ形式の撮影画像データが表わすＣＭＹＫ画像２４の色が、ＲＧＢ画像２３の色と近くなるように各種パラメータを調整する。
【００１８】
さらに、印刷工程では、編集工程から送られてきたページデータ中のＲＧＢ形式の撮影画像データがＣＭＹＫ形式の撮影画像データに差し替えられて、ＣＭＹＫ形式のページデータが生成される。編集者は、このＣＭＹＫ形式のページデータが表わすＣＭＹＫページ画像２５を使って、最終的なページのデザインや色を確認する（ステップＳ１２４）。
【００１９】
最終確認がなされたＣＭＹＫ形式のページデータは印刷機に送られ、印刷機によって印刷画像２６が印刷される（ステップＳ１２５）。
【００２０】
以上のように、撮影工程でデジタルの撮影画像が取得されることによって、ＤＢ２０に保存された撮影画像を編集工程で再利用することができたり（例えば、特許文献１参照）、撮影画像を容易に複製することができるため、フィルムを紛失してしまって印刷物を生成できないなどという不具合を解消することができたり、各工程が離れた場所で行われる場合であっても、通信ネットワーク等を介して撮影画像を送ることができるなどという利点がある。
【００２１】
しかし、図２のステップＳ１２１で編集者が色補正を行う作業は、撮影工程でデジタルカメラが用いられるようになってから行われるようになった作業であり、ノウハウが十分には蓄積されていない。したがって、編集者は試行錯誤しながらＲＧＢ画像２１の色が見た目に好ましい色になるような色調整を行う必要があり、大変手間がかかる作業であるうえ、結局は思い通りの色が得られないことも多い。その結果、印刷工程のステップＳ１２３では、印刷者が、編集者の思い通りの色を有しているのか否かが不確定で、従来の色調整時に用いられていたフィルム１１のようなノウハウの蓄積がないＲＧＢ画像２３を色見本として色調整を行うことになり、多大な時間とコストがかかってしまうという問題がある。また、そのような色調整を行って、ＣＭＹＫ画像２４の色がＲＧＢ画像２３の色に近くなったとしても、そのＲＧＢ画像２３の色自体が不確定であるために、最終的な生成物である印刷画像２６の色と編集者が思い描く印刷物の色のイメージとが合わずにトラブルが発生してしまう恐れがある。
【００２２】
このようなトラブルを解消するため、編集工程から印刷工程に画像データを送るときには、色補正後の画像データが記録されたＣＤ−ＲＯＭなどといった記録媒体に、編集工程における色補正時に用いたプロファイル名などといった色補正処理に関する各種情報が記載されたラベルを貼っておき、後段の印刷工程に編集者の要望を明確に伝えることが推奨されている（非特許文献１参照）。
【特許文献１】特開平９−９０５９９号公報
【非特許文献１】ＲＧＢデジタル画像規格標準化研究会「印刷入稿のためのＲＧＢ画像運用ガイドブック」、第７頁
【発明の開示】
【発明が解決しようとする課題】
【００２３】
しかし、非特許文献１によって推奨されている方法によると、記録媒体に貼られたラベルが搬送中に剥がれてしまったり、撮影画像を通信ネットワークで送る場合などには、印刷工程に編集者の要望を伝えることができない。また、画像データを他の記録媒体に複製したときには、再度ラベルを生成して新しい記録媒体に貼り付ける必要があり、保守が大変煩雑であるなどという問題がある。
【００２４】
本発明は、上記事情に鑑み、好ましい色の画像を生成するための情報を確実に後工程に伝えることができるデータ生成装置、評価出力装置、評価出力システム、データ生成プログラム、および評価出力プログラムを提供することを目的とする。
【課題を解決するための手段】
【００２５】
上記目的を達成する本発明のデータ生成装置は、画像を表わす画像データを取得する画像取得部と、
画像取得部で取得された画像データが表わす画像の色に関する評価の入力を受け付ける評価受付部と、
画像取得部で取得された画像データと、評価受付部で受け付けられた評価を表わす評価データとを対応付けて評価画像データセットを生成するデータセット生成部とを備えたことを特徴とする。
【００２６】
本発明のデータ生成装置によると、画像を表わす画像データと、その画像の色に関する評価を表わす評価データとが対応付けられて、評価画像データセットが生成される。例えば、一連の印刷ワークフローにおける編集工程で評価画像データセットを生成し、この評価画像データセットを印刷工程に送ることによって、評価画像データセットを通信ネットワーク等を介して送る場合などであっても、画像の色に関する評価を確実に後工程である印刷工程に伝えることができる。印刷工程では、その評価画像データセットの評価データが表わす評価を確認することによって、編集工程のオペレータ（編集者）の要望を反映させた色変換処理を行うことができ、コストと時間を大幅に抑えて、好ましい色を有する画像を生成することができる。
【００２７】
また、本発明のデータ生成装置において、データセット生成部で生成された評価画像データセットを記録媒体に記録する画像記録部を備えたことが好ましい。
【００２８】
ここで、本発明にいう記録媒体には、ＣＤ−ＲＯＭやコンパクトフラッシュ（登録商標）などといった、パーソナルコンピュータ等に着脱自在に装填される記録媒体に限らず、ハードディスク装置やＲＯＭなどといった、パーソナルコンピュータ等に内蔵される一時メモリ等も含まれる。
【００２９】
評価画像データセットを記録媒体に記録しておくことによって、評価画像データセットを次回以降の編集工程などで再利用することができるうえ、印刷工程などといった後工程に効率よく評価画像データセットを送ることができる。
【００３０】
また、本発明のデータ生成装置において、上記データセット生成部が、画像データに評価データを組み込んで、評価画像データセットに相当する評価組み込みデータを生成するものであることが好ましい。
【００３１】
画像データに評価データが組み込まれることによって、画像データと評価データとが容易に対応付けられるとともに、それら画像データと評価データとが分離してしまう不具合を防止することができる。
【００３２】
また、本発明のデータ生成装置において、画像が配置されたページを表わすページデータを、データ生成部で生成された評価画像データセットを組み込んで生成するページデータ生成部を備えたことが好ましい。
【００３３】
例えば、一連の印刷ワークフローにおける編集工程で評価画像データセットが生成され、その評価画像データセットを使ってページデータが生成されることによって、従来から広範に適用されている、編集工程から印刷工程にページデータを送る印刷システムを流用して、画像の色に関する評価を後工程である印刷工程に確実に伝えることができる。
【００３４】
また、上記目的を達成する本発明の評価出力装置は、画像を表わす画像データと、画像データが表わす画像の色に関する評価を表わす評価データとが対応付けられた評価画像データセットを取得するデータセット取得部と、
データセット取得部で取得された評価画像データセットの評価データが表わす評価を所定の出力装置に出力させる評価出力部とを備えたことを特徴とする。
【００３５】
本発明の評価出力装置によると、評価画像データセットが取得され、その評価画像データセットの評価データが表わす評価が所定の出力装置によって出力される。したがって、評価画像データセットの画像データが表わす画像の色に関する評価を、オペレータに確実に認識させることができる。
【００３６】
また、本発明の評価出力装置において、画像データに基づく画像を表示する画像表示部を備え、
評価出力部は、所定の出力装置として画像表示部を使って、評価を表示させるものであることが好適である。
【００３７】
本発明の好適な形態の評価出力装置によると、評価画像データセットの評価データが表わす評価が画像表示部に表示されるため、画像データが表わす画像の色の評価をコストをかけずに確実に伝えることができる。
【００３８】
また、本発明の評価出力装置において、上記評価出力部は、用紙上に画像および文字をプリント出力するプリンタを所定の出力装置として使って、評価をプリント出力させるものであることも好適である。
【００３９】
評価画像データセットの評価データが表わす評価を画像表示部に表示させるのではなく、その評価をプリント出力させることによっても、画像の色の評価を確実に伝えることができる。
【００４０】
また、上記目的を達成する本発明の評価出力システムは、画像を表わす画像データを取得する画像取得部と、
画像取得部で取得された画像データが表わす画像の色に関する評価の入力を受け付ける評価受付部と、
画像取得部で取得された画像データと、評価受付部で受け付けられた評価を表わす評価データとを対応付けて評価画像データセットを生成するデータセット生成部と、
評価画像データセットを取得するデータセット取得部と、
データセット取得部で取得された評価画像データセットの評価データが表わす評価を所定の出力装置に出力させる評価出力部とを備えたことを特徴とする。
【００４１】
本発明の評価出力システムによると、画像データが表わす画像の色に関する評価を、確実にオペレータに伝えることができる。
【００４２】
また、上記目的を達成する本発明のデータ生成プログラムは、コンピュータ内で実行され、そのコンピュータ上に、
画像を表わす画像データを取得する画像取得部と、
画像取得部で取得された画像データが表わす画像の色に関する評価の入力を受け付ける評価受付部と、
画像取得部で取得された画像データと、評価受付部で受け付けられた評価を表わす評価データとを対応付けて評価画像データセットを生成するデータセット生成部とを構成すること特徴とする。
【００４３】
本発明のデータ生成プログラムをコンピュータ内で実行させることによって、そのコンピュータを上記のようなデータ生成装置として動作させることができる。
【００４４】
また、本発明のデータ生成プログラムがコンピュータ上に構成する画像取得部などといった要素は、１つの要素が１つのプログラム部品によって構成されるものであってもよく、１つの要素が複数のプログラム部品によって構成されるものであってもよく、複数の要素が１つのプログラム部品によって構成されるものであってもよい。また、これらの要素は、そのような作用を自分自身で実行するものとして構築されてもよく、あるいは、コンピュータに組み込まれている他のプログラムやプログラム部品に指示を与えて実行するものとして構築されても良い。
【００４５】
また、上記目的を達成する本発明の評価出力プログラムは、コンピュータ内で実行され、そのコンピュータ上に、
画像を表わす画像データと、画像データが表わす画像の色に関する評価を表わす評価データとが対応付けられた評価画像データセットを取得するデータセット取得部と、
データセット取得部で取得された評価画像データセットの評価データが表わす評価を所定の出力装置に出力させる評価出力部とを構成すること特徴とする。
【００４６】
本発明の評価出力プログラムをコンピュータ内で実行させることによって、そのコンピュータを上記のような評価出力装置として動作させることができる。
【００４７】
また、本発明の評価出力プログラムがコンピュータ上に構成するデータセット取得部などといった要素は、１つの要素が１つのプログラム部品によって構成されるものであってもよく、１つの要素が複数のプログラム部品によって構成されるものであってもよく、複数の要素が１つのプログラム部品によって構成されるものであってもよい。また、これらの要素は、そのような作用を自分自身で実行するものとして構築されてもよく、あるいは、コンピュータに組み込まれている他のプログラムやプログラム部品に指示を与えて実行するものとして構築されても良い。
【発明の効果】
【００４８】
本発明によれば、好ましい色の画像を生成するための情報を確実に後工程に伝えることができるデータ生成装置、評価出力装置、評価出力システム、データ生成プログラム、および評価出力プログラムを提供することができる。
【発明を実施するための最良の形態】
【００４９】
以下、本発明の実施形態について説明する。
【００５０】
図３は、本発明の評価出力システムの一実施形態が適用された印刷システムの全体構成図である。
【００５１】
印刷システム１は、編集工程と印刷工程とを経て印刷物を作成するシステムであり、編集装置３０と、カラープリンタ２と、色変換装置４０と、オンデマンド印刷機３と、印刷機４とで構成されている。本実施形態においては、編集装置３０とカラープリンタ２はＲＧＢ形式の画像データのみ取り扱うことができ、印刷機４はＣＭＹＫ形式の画像データのみ取り扱うことができ、色変換装置４０とオンデマンド印刷機３はＲＧＢ形式とＣＭＹＫ形式の両形式の画像データを取り扱うことができるものとする。また、編集工程と印刷工程とは相互に離れた場所に備えられており、編集工程の編集装置３０と印刷工程の色変換装置４０とは通信ネットワークを介して接続されている。
【００５２】
編集工程の編集装置３０には、デジタルカメラによる被写体の撮影などによって得られたＲＧＢ形式の画像データが送られてくる。編集装置３０では、まず、予め用意されている標準的な色補正プロファイル等を使って、ＲＧＢ画像データが表わす画像の色を見た目に好ましい色に補正するための色補正処理が行われる。尚、この色補正処理は、編集者からの指示に従って行われるものであり、省略される場合もある。さらに、編集装置３０では、編集者によって、ＲＧＢ画像データが表わす画像を含むページが編集され、ＲＧＢ画像データが組み込まれたＲＧＢページデータが生成される。ＲＧＢページデータが表わす画像やＲＧＢ画像データが表わす画像は、カラープリンタ２でプリント出力されて、デザインや色などが確認される。編集工程で生成されたＲＧＢページデータやＲＧＢ画像データは、通信ネットワーク等を介して印刷工程に送られる。
【００５３】
印刷工程では、色変換装置４０においてＲＧＢページデータ中のＲＧＢ画像データがＣＭＹＫ形式の画像データに色変換され、色変換後のＣＭＹＫページデータが印刷機４に送られて印刷画像が印刷される。尚、印刷工程では、印刷者によって色変換用の各種パラメータが指定され、それら各種パラメータに従って色変換処理が行われる。したがって、印刷者は、編集工程で行われた色補正処理の精度や、ＲＧＢ画像データが表わす画像の色がどの程度信頼できる色なのかを知っておく必要がある。
【００５４】
印刷システム１は、基本的には以上のように構成されている。
【００５５】
ここで、図３に示す印刷システム１における、本発明の一実施形態としての特徴は、編集工程で得られたＲＧＢ画像データが表わす画像の色の評価を印刷工程に明確に伝える処理にある。以下、印刷システム１を構成する編集装置３０および色変換装置４０について説明する。尚、編集装置３０と色変換装置４０はともに同様なパーソナルコンピュータ等で構成されているため、それらの外観およびハードウェア構成については、同じ符号を付して、編集装置３０と色変換装置４０とをいっしょに説明する。
【００５６】
図４は、図３の編集装置および色変換装置を構成しているパーソナルコンピュータの外観斜視図、図５はそのハードウェア構成図である。
【００５７】
編集装置３０および色変換装置４０を構成しているパーソナルコンピュータは、外観構成上、本体装置３１、その本体装置３１からの指示に応じて表示画面３２ａ上に画像を表示する画像表示装置３２、本体装置３１に、キー操作に応じた各種の情報を入力するキーボード３３、および、表示画面３２ａ上の任意の位置を指定することにより、その位置に表示された、例えばアイコン等に応じた指示を入力するマウス３４を備えている。この本体装置３１は、外観上、フレキシブルディスク（以下ではＦＤと省略する）を装填するためのＦＤ装填口３１ａ、およびＣＤ−ＲＯＭを装填するためのＣＤ−ＲＯＭ装填口３１ｂを有する。
【００５８】
本体装置３１の内部には、図５に示すように、各種プログラムを実行するＣＰＵ３１１、ハードディスク装置３１３に格納されたプログラムが読み出されＣＰＵ３１１での実行のために展開される主メモリ３１２、各種プログラムやデータ等が保存されたハードディスク装置３１３、ＦＤ１００が装填され、そのＦＤ１００をアクセスするＦＤドライブ３１４、ＣＤ−ＲＯＭ１１０をアクセスするＣＤ−ＲＯＭドライブ３１５、外部装置から画像データを受け取る入力インタフェース３１６、外部装置に画像データを送る出力インタフェース３１７が内蔵されており、これらの各種要素と、さらに図４にも示す画像表示装置３２、キーボード３３、マウス３４は、バス３５を介して相互に接続されている。
【００５９】
ここで、ＣＤ−ＲＯＭ１１０には、図３の編集装置３０を本発明のデータ生成装置の一実施形態として動作させるためのデータ生成プログラムが記憶されており、そのＣＤ−ＲＯＭ１１０はＣＤ−ＲＯＭドライブ３１５に装填され、そのＣＤ−ＲＯＭ１１０に記憶されたデータ生成プログラムが編集装置３０にアップロードされてハードディスク装置３１３に記憶される。こうして編集装置３０は本発明のデータ生成装置の一実施形態として動作する。
【００６０】
また、図５には図示しないＣＤ−ＲＯＭ１１１には、図３の色変換装置４０を本発明の評価出力装置の一実施形態として動作させるための評価出力プログラムが記憶されており、そのＣＤ−ＲＯＭ１１１はＣＤ−ＲＯＭドライブ３１５に装填され、そのＣＤ−ＲＯＭ１１１に記憶された評価出力プログラムが色変換装置４０にアップロードされてハードディスク装置３１３に記憶される。こうして色変換装置４０は本発明の評価出力装置の一実施形態として動作する。
【００６１】
次に、編集装置３０内で実行されるデータ生成プログラムと、色変換装置４０内で実行される評価出力プログラムについて説明する。
【００６２】
図６は、本発明のデータ生成プログラムおよび評価出力プログラムそれぞれの一実施形態が記憶されたＣＤ−ＲＯＭ１１０，１１１を示す概念図である。
【００６３】
図６のパート（Ａ）に示すデータ生成プログラム４１０は、図１に示す編集装置３０内で実行され、その編集装置３０を本発明のデータ生成装置の一実施形態として動作させるものであり、画像取得部４１１と、色補正部４１２と、評価受付部４１３と、評価組み込みデータ生成部４１４と、画像記録部４１５と、ページデータ生成部４１６とを有する。
【００６４】
また、図６のパート（Ｂ）に示す評価出力プログラム４２０は、図１に示す色変換装置４０内で実行され、その色変換装置４０を本発明の評価出力プログラム装置の一実施形態として動作させるものであり、データ取得部４２１と、評価出力部４２２と、色変換部４２３と、画像表示部４２４とを有する。
【００６５】
これらデータ生成プログラム４１０および評価出力プログラム４２０の各要素の詳細については後述する。
【００６６】
図７は、図３に示す編集装置３０および色変換装置４０の機能ブロック図である。
【００６７】
この編集装置３０は、画像取得部５１１と、色補正部５１２と、評価受付部５１３と、評価組み込みデータ生成部５１４と、画像記録部５１５と、ページデータ生成部５１６とから構成されており、これら画像取得部５１１、色補正部５１２、評価受付部５１３、評価組み込みデータ生成部５１４、画像記録部５１５、ページデータ生成部５１６は、図６のパート（Ａ）に示すデータ生成プログラム４１０を構成する、画像取得部４１１、色補正部４１２、評価受付部４１３、評価組み込みデータ生成部４１４、画像記録部４１５、ページデータ生成部４１６それぞれによってパーソナルコンピュータ上に構成されている。このように、図７に示す編集装置３０の各要素は、図６のパート（Ａ）に示すデータ生成プログラム４１０の各要素それぞれに対応するが、図７の各要素は図４に示すパーソナルコンピュータのハードウェアとそのパーソナルコンピュータで実行されるＯＳやアプリケーションプログラムとの組み合わせで構成されているのに対し、図６のパート（Ａ）に示す各要素はそれらのうちのアプリケーションプログラムのみにより構成されている点が異なる。
【００６８】
また、図７に示す色変換装置４０は、データ取得部５２１と、評価出力部５２２と、色変換部５２３と、画像表示部５２４とから構成されており、これらデータ取得部５２１、評価出力部５２２、色変換部５２３、画像表示部５２４は、図６のパート（Ｂ）に示す評価出力プログラム４２０を構成する、データ取得部４２１、評価出力部４２２、色変換部４２３、画像表示部４２４それぞれによってパーソナルコンピュータ上に構成されている。このように、図７に示す色変換装置４０の各要素は、図６のパート（Ｂ）に示す評価出力プログラム４２０の各要素それぞれに対応するが、図７の各要素は図４に示すパーソナルコンピュータのハードウェアとそのパーソナルコンピュータで実行されるＯＳやアプリケーションプログラムとの組み合わせで構成されているのに対し、図６のパート（Ｂ）に示す各要素はそれらのうちのアプリケーションプログラムのみにより構成されている点が異なる。
【００６９】
以下、図７に示す編集装置３０および色変換装置４０の各要素を説明することによって、図６に示すデータ生成プログラム４１０および評価出力プログラム４２０の各要素も併せて説明する。
【００７０】
図７に示す編集装置３０の画像取得部５１１には、編集工程よりも前工程の撮影工程において、デジタルカメラで被写体が撮影されて得られたＲＧＢ形式の撮影画像データなどが取得される。画像取得部５１１は、本発明における画像取得部の一例にあたる。
【００７１】
色補正部５１２は、画像取得部５１１で得られたＲＧＢ画像データに、編集者によって指定された色補正用パラメータに従った色補正処理や、予め用意された色補正プロファイルを使った標準的な色補正処理などを施して、補正後ＲＧＢデータを生成する。この色補正部５１２での色補正処理は、編集者からの指示に応じて行われるものであり、省略される場合もあるが、説明の便宜上、色補正処理が省略されたＲＧＢ画像データも補正後ＲＧＢデータと称して説明する。
【００７２】
評価受付部５１３は、補正後ＲＧＢデータが表わすＲＧＢ補正画像の色の評価の入力を受け付けて、その色の評価を表わす評価データを生成する。この評価受付部５１３は、本発明における評価受付部の一例に相当する。
【００７３】
評価組み込みデータ生成部５１４は、補正後ＲＧＢデータに評価データを組み込んで、評価組み込みデータを生成する。この評価組み込みデータ生成部５１４は、本発明における評価組み込みデータ生成部の一例に相当する。
【００７４】
画像記録部５１５は、補正後ＲＧＢデータおよび評価組み込みデータを、図５に示すハードディスク装置３１３やＣＤ−ＲＯＭなどに記録する。この画像記録部５１５は、本発明における画像記録部の一例に相当する。
【００７５】
ページデータ生成部５１６は、評価組み込みデータに含まれる補正後ＲＧＢデータが表わすＲＧＢ補正画像が配置されたページを表わし、評価組み込みデータが組み込まれたＲＧＢページデータを生成する。このページデータ生成部５１６は、本発明におけるページデータ生成部の一例に相当する。
【００７６】
色変換装置４０のデータ取得部５２１は、編集装置３０のページデータ生成部５１６で生成された、評価組み込みデータが組み込まれたＲＧＢページデータを取得する。このデータ取得部５２１は、本発明におけるデータ取得部の一例に相当する。
【００７７】
評価出力部５２２は、ＲＧＢページデータに組み込まれた評価組み込みデータの評価データを画像表示部５２４やオンデマンド印刷機３に送り、それら画像表示部５２４やオンデマンド印刷機３に評価データが表わす評価を出力させる。この評価出力部５２２は、本発明における評価出力部の一例にあたる。
【００７８】
画像表示部５２４は、評価出力部５２２から送られてきた評価データが表わす評価を図５に示す表示画面３２ａに表示する。この画像表示部５２４は、本発明における画像表示部の一例にあたる。
【００７９】
色変換部５２３は、ＲＧＢページデータに組み込まれた評価組み込みデータの補正後ＲＧＢデータをＣＭＹＫ形式の画像データに変換して、ＣＭＹＫ形式のＣＭＹＫページデータを生成する。生成されたＣＭＹＫページデータは、図３の印刷機４に送られて、印刷機４でＣＭＹＫページデータが表わすページが生成される。
【００８０】
編集装置３０および色変換装置４０は、基本的には以上のように構成されている。
【００８１】
図８は、編集工程において画像データが取得されて、評価組み込みデータが組み込まれたＲＧＢページデータが生成されるまでの一連の処理を示すフローチャートであり、図９は、印刷工程においてＲＧＢページデータが取得されて、印刷が行われるまでの一連の処理を示すフローチャートである。以下では、これら図８および図９のフローチャートに従って説明を行う。
【００８２】
まずは、図８のフローチャートに従って、編集装置３０で行われる一連の処理について説明する。
【００８３】
撮影工程で取得されたＲＧＢ形式の画像データは、編集装置３０の画像取得部５１１に取得される（図８のステップＳ１１）。取得されたＲＧＢ画像データは、色補正部５１２に送られる。
【００８４】
色補正部５１２は、画像取得部５１１で得られたＲＧＢ画像データに色補正処理を施す（図８のステップＳ１２）。この色補正処理は、編集者の指示に従って行われるものであり、省略されることもあるが、この例では、編集者と印刷者との間で予め取り決められた標準の色補正プロファイルが用いられ、ＲＧＢ画像データが表わす画像の色を見た目に好ましい色にするための標準的な色補正処理が施される。色補正後の補正後ＲＧＢデータは、評価組み込みデータ生成部５１４に送られるとともに、図３に示すカラープリンタ２にも送られて、カラープリンタ２で補正後ＲＧＢデータが表わすＲＧＢ補正画像がプリント出力される（図８のステップＳ１３）。
【００８５】
編集者は、プリント出力されたＲＧＢ補正画像を目視で確認し、予め用意されている評価入力用画面に従って、思い描いている印刷物の色のイメージに対するＲＧＢ補正画像の色の評価を入力する（図８のステップＳ１４）。
【００８６】
図１０は、評価入力用画面の一例を示す図である。
【００８７】
評価入力用画面６００は、画像ＩＤ入力部６０１、画像名称入力部６０２、画質検定状況入力部６０３、画質評価年月日入力部６０４、画質評価者入力部６０５、画質評価装置入力部６０６、プリンタ色再現性入力部６０７、全体色差入力部６０８、グレー色差入力部６０９、画質評価結果入力部６１０、コメント入力部６１１などで構成されている。
【００８８】
画像ＩＤ入力部６０１には、ＲＧＢ補正画像を識別する画像ＩＤが入力され、画像名称入力部６０２には、ＲＧＢ補正画像の画像名称が入力される。
【００８９】
また、画質検定状況入力部６０３には、編集者がＲＧＢ補正画像の色を確認したか否かが入力される。本実施形態においては、編集者が、ＲＧＢ補正画像の色が見た目に好ましく、ＲＧＢ補正画像を色見本として使用すると確認した場合には「画質検定完了」、ＲＧＢ補正画像の色が思い描いている色とは異なり、ＲＧＢ補正画像を色見本として使用しないと確認した場合には「画質検定未了」と入力され、また、ステップＳ１２における色補正処理が行われておらず、撮影工程から取得されたそのままの画像である場合には「撮影オリジナル」と入力される。
【００９０】
また、画質評価年月日入力部６０４には、評価を行った日付が入力され、画質評価者入力部６０５には、評価を行った編集者の氏名が入力され、画質評価装置入力部６０６には、ＲＧＢ補正画像をプリント出力した、図３に示すカラープリンタ２の商品名が入力される。
【００９１】
カラープリンタ２では、相互に異なる色を有する複数の色パッチで構成されたカラーパッチが予めプリント出力されており、編集者によって、それら色パッチの色度が測色されている。これら測色された色度値と、目標の色度値との平均色差がカテゴリー化されたランクがプリンタ色再現性入力部６０７に入力され、平均色差が全体色差入力部６０８に入力され、印刷において特に重要な色であるグレーにおける平均色差がグレー色差入力部６０９に入力される。
【００９２】
画質評価結果入力部６１０には、ＲＧＢ補正画像における、１次色および２次色の鮮やかさ、グレーバランス、肌色の再現性などといった色再現性や、全体的な明るさ、ハイライト再現性、シャドー再現性、トーンジャンプなどといった色調子の再現性などがカテゴリー化されたランクが入力される。
【００９３】
コメント入力部６１１には、編集者からのコメントが入力される。このコメント入力部６１１に入力されるコメントとしては、「明るく」、「メリハリをつけて」、「色かぶりをとる」、「色の濁りをとる」、「ソフトに」、「キャッチライト（ガラスや金属の光）をとばす」などが考えられる。
【００９４】
以上で説明した項目のほかにも、例えば、撮影工程での撮影に関する撮影年月日、照明環境、撮影者、撮影機器名、露光条件などといった情報や、ＲＧＢ補正画像が保存されたファイルのフォーマット、データサイズ、データ形式、データ圧縮の有無、画像修正指示などが入力される。
【００９５】
編集者によって入力された色の評価は、図７の評価受付部５１３で受け付けられる。評価受付部５１３では、色の評価を表わす評価データが生成され、生成された評価データは評価組み込みデータ生成部５１４に送られる。
【００９６】
評価組み込みデータ生成部５１４では、色補正部５１２から送られてきた補正後ＲＧＢデータに、評価受付部５１３から送られてきた評価データが組み込まれて、評価組み込みデータが生成される（図８のステップＳ１５）。生成された評価組み込みデータと補正後ＲＧＢデータは、画像記録部５１５とページデータ生成部５１６に送られる。
【００９７】
画像記録部５１５は、送られてきた補正後ＲＧＢデータおよび評価組み込みデータを、図５のハードディスク装置３１３に記録する。これらの補正後ＲＧＢデータおよび評価組み込みデータは、続いて説明するページ編集時に利用されるとともに、次回以降の編集作業時にも再利用される。これらの補正後ＲＧＢデータおよび評価組み込みデータをカラープリンタ２に出力し、補正後のＲＧＢ画像と評価とをプリント出力して、それらのデータと対応したプリントを作成して印刷工程に送ると更に効果的である。
【００９８】
編集者は、ページ編集用ソフトウェアを使って、ＲＧＢ補正画像が配置されたページを編集する。このとき、ページデータ生成部５１６では、評価組み込みデータ生成部５１４から送られてきた評価組み込みデータが組み込まれた、編集者によって編集されたページを表わすＲＧＢページデータが生成される（図８のステップＳ１６）。生成されたＲＧＢページデータは、図１に示すカラープリンタ２に送られて、カラープリンタ２でＲＧＢページデータが表わすＲＧＢページ画像がプリント出力される。
【００９９】
編集者は、プリント出力されたＲＧＢページ画像を使って、ページのデザインを確認する。編集者によってデザインが確認されたＲＧＢページデータは、ネットワークを介して、色変換装置４０のデータ取得部５２１に送られる。
【０１００】
以上で図８に示す編集工程での処理の説明を終了し、続いて、図９のフローチャートを使って、色変換装置４０で行われる一連の処理について説明する。
【０１０１】
編集装置３０から送られてきたＲＧＢページデータは、図７のデータ取得部５２１に取得される（図９のステップＳ２１）。取得されたＲＧＢページデータは、評価出力部５２２に送られる。
【０１０２】
評価出力部５２２では、まず、ＲＧＢページデータに組み込まれた評価組み込みデータの評価データが取得される。取得された評価データは画像ＩＤと対応付けられ、図５に示す色変換装置４０のハードディスク装置３１３に保存される（図９のステップＳ２２）。
【０１０３】
色変換装置４０には、予め、評価データが表わす評価をプリント出力する「評価プリントボタン」、評価を表示画面３２ａに表示する「評価表示ボタン」、評価を出力する際に評価の詳細／概略のいずれを出力するかを指定する「詳細／概略ラジオボタン」、評価の出力を行う画像の画像ＩＤを指定する「画像ＩＤ入力部」等が設けられた評価出力用画面が用意されており、印刷者はこの評価出力用画面に従って、評価の出力方法を指定する。
【０１０４】
評価の出力方法が指定されると、評価出力部５２２は、ＲＧＢページデータに組み込まれた評価組み込みデータの評価データが表わす評価を指定された出力方法で出力させる（図９のステップＳ２３）。例えば、「概略ラジオボタン」と「評価プリントボタン」が指定された場合には、評価出力部５２２は、評価組み込みデータの補正後ＲＧＢデータと、評価データが表わす評価のうち所定の項目の情報を図１のオンデマンド印刷機３に送る。
【０１０５】
図１１は、プリント出力された評価の一例を示す図である。
【０１０６】
オンデマンド印刷機３では、補正後ＲＧＢデータが表わすＲＧＢ補正画像７１０と、評価データが表わす評価のうち所定の項目７２０とで構成された評価出力画像７００がプリント出力される。
【０１０７】
印刷者は、この評価出力画像７００を確認することによって、ＲＧＢ補正画像の色がどの程度信頼できる色なのかを認識することができる。
【０１０８】
また、例えば、印刷者によって、「詳細ラジオボタン」と「評価表示ボタン」と「画像ＩＤ」が指定された場合には、評価出力部５２２は、ハードディスク装置３１３から指定された画像ＩＤと対応付けられた評価データを取得し、評価データを画像表示部５２４に出力する。画像表示部５２４は、図４に示す色変換装置４０の表示画面３２ａに評価データが表わす評価を表示させる。このとき、色変換装置４０の表示画面３２ａには、図１０に示すような詳細な評価が表示される。
【０１０９】
印刷者は、表示画面３２ａに表示された評価、あるいはオンデマンド印刷機３でプリント出力された評価を確認し、ＲＧＢページデータに組み込まれた評価組み込みデータの補正後ＲＧＢデータをＣＭＹＫ形式の画像データに変換するための色変換パラメータを指定する（図９のステップＳ２４）。例えば、図１０に示すような評価が表示された場合、画像検定の状況が「画質検定完了」であるため、補正後ＲＧＢデータをプリント出力したＲＧＢ補正画像を色見本として使い、コメントが「明るく」であるため、全体的に明るい画像になるような色変換パラメータを指定する。
【０１１０】
色変換パラメータが指定されると、図７の色変換部５２３では、指定された色変換パラメータを使って、補正後ＲＧＢデータがＣＭＹＫ形式の補正後ＣＭＹＫデータに色変換される（図９のステップＳ２５）。
【０１１１】
補正後ＣＭＹＫデータは図３のオンデマンド印刷機３に送られ、オンデマンド印刷機３で補正後ＣＭＹＫデータが表わすＣＭＹＫ補正画像がプリント出力される。このＣＭＹＫ補正画像の色が色見本であるＲＧＢ補正画像の色と近くなるように、印刷者によって色変換パラメータが微調整される。
【０１１２】
確定した色変換パラメータを使って色変換処理が施された補正後ＣＭＹＫデータは、ＲＧＢページデータの補正後ＲＧＢデータと差し替えられ、ＣＭＹＫ形式のＣＭＹＫページデータが生成される。ＣＭＹＫページデータは印刷機４に送られて、印刷機４では、ＣＭＹＫページデータが表わすページが印刷される（図９のステップＳ２６）。
【０１１３】
このように、編集装置３０において、画像データが表わす画像の色の評価を受け付けるとともに、画像データと評価を表わす評価データとを対応付けて評価組み込みデータを生成し、色変換装置４０において、評価組み込みデータの評価データが表わす評価に応じた色変換処理を行うことによって、編集者と印刷者との画像の色に関するイメージの食い違いを回避することができ、一連の印刷処理にかかるコストと時間を大幅に削減することができる。
【０１１４】
また、評価組み込みデータをページデータに組み込むことによって、従来から用いられている印刷システムを流用して、画像の色に関する評価を確実に後工程である印刷工程に伝えることができる。
【０１１５】
ここで、上記では、データ生成プログラムおよび評価出力プログラムを記憶する記憶媒体としてＣＤ−ＲＯＭが例示されているが、本発明のデータ生成プログラムおよび評価出力プログラムを記憶する記憶媒体はＣＤ−ＲＯＭに限られるものではなく、それ以外のＭＯ、ＦＤ、磁気テープなどの記憶媒体であってもよい。また、本発明のデータ生成プログラムおよび評価出力プログラムは、記憶媒体を介さずに、通信網を介して直接にコンピュータに供給されるものであってもよい。
【０１１６】
また、上記では、編集装置３０と色変換装置４０とが通信ネットワークで接続されており、評価組み込みデータを通信ネットワークを介して受け渡す例について説明したが、本発明の評価出力システムでは、評価組み込みデータ生成部で生成された評価組み込みデータをＣＤ−ＲＯＭなどといった記録媒体に記録し、データ取得部において、記録媒体に記録された評価組み込みデータを取得するものであってもよい。
【０１１７】
また、上記では、画像データに評価データが組み込まれた評価組み込みデータを生成する例について説明したが、本発明にいうデータ生成部は、例えば、画像データと評価データとの評価画像データセットを同じフォルダに保存するなどして対応付けるものであってもよい。
【図面の簡単な説明】
【０１１８】
【図１】撮影工程でフィルムに撮影画像を記録する銀塩カメラが適用される場合の一連の印刷処理を示すワークフロー図である。
【図２】撮影工程でデジタルカメラが適用される場合の一連の印刷処理を示すワークフロー図である。
【図３】本発明の評価出力システムの一実施形態が適用された印刷システムの全体構成図である。
【図４】パーソナルコンピュータの外観斜視図である。
【図５】パーソナルコンピュータのハードウェア構成図である。
【図６】本発明のデータ生成プログラムおよび評価出力プログラムそれぞれの一実施形態が記憶されたＣＤ−ＲＯＭを示す概念図である。
【図７】編集装置および色変換装置の機能ブロック図である。
【図８】編集工程において画像データが取得されて、評価組み込みデータが組み込まれたＲＧＢページデータが生成されるまでの一連の処理を示すフローチャートである。
【図９】印刷工程においてＲＧＢページデータが取得されて、印刷が行われるまでの一連の処理を示すフローチャートである。
【図１０】評価入力用画面の一例を示す図である。
【図１１】プリント出力された評価の一例を示す図である。
【符号の説明】
【０１１９】
１    印刷システム
２    カラープリンタ
３    オンデマンド印刷機
４    印刷機
１１    フィルム
１２    ＲＧＢページ画像
１３    ＣＭＹＫ画像
１４    ＣＭＹＫページ画像
１５    印刷画像
２１    ＲＧＢ画像
２２    ＲＧＢページ画像
２３    ＲＧＢ画像
２４    ＣＭＹＫ画像
２５    ＣＭＹＫページ画像
２６    印刷画像
３０    編集装置
３１    本体装置
３２ａ    表示画面
３２    画像表示装置
３３    キーボード
３４    マウス
３１ａ    ＦＤ装填口
３１ｂ    ＣＤ−ＲＯＭ装填口
４０    色変換装置
１１０，１１１    ＣＤ−ＲＯＭ
３１１    ＣＰＵ
３１２    主メモリ
３１３    ハードディスク装置
１００    ＦＤ
３１４    ＦＤドライブ
３１５    ＣＤ−ＲＯＭドライブ
３１６    入力インタフェース
３１７    出力インタフェース
３５    バス
４１０    データ生成プログラム
４１１    画像取得部
４１２    色補正部
４１３    評価受付部
４１４    評価組み込みデータ生成部
４１５    画像記録部
４１６    ページデータ生成部
４２０    評価出力プログラム
４２１    データ取得部
４２２    評価出力部
４２３    色変換部
４２４    画像表示部
５１１    画像取得部
５１２    色補正部
５１３    評価受付部
５１４    評価組み込みデータ生成部
５１５    画像記録部
５１６    ページデータ生成部
５２１    データ取得部
５２２    評価出力部
５２３    色変換部
５２４    画像表示部
６００    評価入力用画面
６０１    画像ＩＤ入力部
６０２    画像名称入力部
６０３    画質検定状況入力部
６０４    画質評価年月日入力部
６０５    画質評価者入力部
６０６    画質評価装置入力部
６０７    プリンタ色再現性入力部
６０８    全体色差入力部
６０９    グレー色差入力部
６１０    画質評価結果入力部
６１１    コメント入力部
【図１】
2005328342.tif 000003
【図２】
2005328342.tif 000004
【図３】
2005328342.tif 000005
【図４】
2005328342.tif 000006
【図５】
2005328342.tif 000007
【図６】
2005328342.tif 000008
【図７】
2005328342.tif 000009
【図８】
2005328342.tif 000010
【図９】
2005328342.tif 000011
【図１０】
2005328342.tif 000012
【図１１】
2005328342.tif 000013